(57)【要約】  【課題】本発明は、音声選曲機能を備える車載用カラオケシステムに関し、マイクからの選曲に際して選曲者を特定することを可能とし、楽曲演奏中であっても選曲のための音声信号を音響出力させずに選曲可能として利便性の向上を図ることを目的とする。  【解決手段】車内で使用されているマイク１５Ａ，１５Ｂのマイク入力端子１４に接続されることによるマイク特定情報（入力端子の情報）から座席ＩＤを特定し、入力される音声信号の当該マイク特定情報に対応する座席ＩＤが、予約管理手段２７で管理される予約待ち行列の演奏中における歌唱者の座席ＩＤの場合には当該音声信号を歌唱音声信号とし、当該歌唱者以外の座席ＩＤの場合には当該音声信号を選曲音声信号として出力を切り替え、選曲音声信号のときに音声認識したデータにより選曲して予約待ち行列に座席ＩＤを関連付けて登録させる構成とする。  【選択図】  図１
2008233320.tif 000002
【特許請求の範囲】
【請求項１】
利用者にマイクより選曲を行わせる音声選曲機能を備える車載用カラオケシステムであって、
各座席には座席ＩＤが関連付けられ、選曲楽曲に当該座席ＩＤが関連付けられて予約待ち行列に登録されるものであり、
使用マイク特定手段、座席判別音声切替手段及び選曲処理手段を有し、
前記使用マイク特定手段は、使用されている前記マイクを特定するマイク特定情報を前記座席判別音声切替手段に送出し、
前記座席判別音声切替手段は、前記マイク特定情報により座席ＩＤを判別し、前記マイクから入力される音声信号の当該マイク特定情報に対応する座席ＩＤが、前記予約待ち行列のカラオケ楽曲演奏中における歌唱者の座席ＩＤの場合には当該音声信号を歌唱音声信号とし、当該歌唱者以外の座席ＩＤの場合には当該音声信号を選曲音声信号として出力先を切り替え、
前記選曲処理手段は、前記選曲音声信号に基づいて音声認識したデータにより選曲して前記予約待ち行列に前記座席ＩＤを関連付けて登録させる、
ことを特徴とする音声選曲機能を備える車載用カラオケシステム。
【請求項２】
請求項１記載の音声選曲機能を備える車載用カラオケシステムであって、前記座席判別音声切替手段は、マイクが車内に配置されたマイク入力端子の何れかに接続されることによる前記マイク特定情報により前記座席ＩＤを判別することを特徴とする音声選曲機能を備える車載用カラオケシステム。
【請求項３】
請求項１記載の音声選曲機能を備える車載用カラオケシステムであって、前記座席判別音声切替手段は、車内にマイクＩＤを送信するマイクがそれぞれ配置され、送信されるマイクＩＤを受信することによる前記マイク特定情報により前記座席ＩＤを判別することを特徴とする音声選曲機能を備える車載用カラオケシステム。
【発明の詳細な説明】
【技術分野】
【０００１】
本発明は、自動車内等に設置されてカラオケ演奏に伴う選曲を行う音声選曲機能を備える車載用カラオケシステムに関する。
【背景技術】
【０００２】
近年、カラオケシステムは種々の機能を備えるようになってきており、カラオケ演奏で選曲を行うに際して、マイクよりの音声信号から音声認識による選曲を行うことも可能としている。このような選曲においては歌唱音声信号と選曲のための音声信号とを区別して、歌唱中であっても選曲のための音声信号を音響出力させずに選曲可能としてさらなる利便性が望まれる。
【０００３】
従来、車載用カラオケシステムは、選曲時に、特に運転者に対しては安全性の見知から運転に支障を来さない入力手法が望まれ、一方で、運転者以外の同乗者の場合であっても選曲が効率的に行われることが望まれることから、例えば以下の特許文献でその選曲技術が提案されている。
【０００４】
【特許文献１】実用新案登録２６０２３４２号公報
【０００５】
上記特許文献には、マイクロホンよりの音声信号より目的の数字の音声信号を認識すると、その数に対応した曲番を再生部で選択して再生させるもので、この時に、マイクロホンより音声の入力があれば歌唱中と判断して、歌唱が終了して数字音を入力すると対応した曲番を再生部で選択して再生させることが提案されている。
【発明の開示】
【発明が解決しようとする課題】
【０００６】
しかしながら、上記特許文献のものは、マクロホンから容易に選曲を行うことができるものの、誰が選曲したものであるかは識別することができず、またカラオケ楽曲の演奏中では選曲することができず、仮に選曲可能とする場合であっても選曲のための音声信号がスピーカより出力されることとなって好ましくないという問題がある。
【０００７】
そこで、本発明は上記課題に鑑みなされたもので、マイクからの選曲に際して選曲者を特定することを可能とし、楽曲演奏中であっても選曲のための音声信号を音響出力させずに選曲可能として利便性の向上を図る音声選曲機能を備える車載用カラオケシステムを提供することを目的とする。
【課題を解決するための手段】
【０００８】
上記課題を解決するために、請求項１の発明では、利用者にマイクより選曲を行わせる音声選曲機能を備える車載用カラオケシステムであって、各座席には座席ＩＤが関連付けられ、選曲楽曲に当該座席ＩＤが関連付けられて予約待ち行列に登録されるものであり、使用マイク特定手段、座席判別音声切替手段及び選曲処理手段を有し、前記使用マイク特定手段は、使用されている前記マイクを特定するマイク特定情報を前記座席判別音声切替手段に送出し、前記座席判別音声切替手段は、前記マイク特定情報により座席ＩＤを判別し、前記マイクから入力される音声信号の当該マイク特定情報に対応する座席ＩＤが、前記予約待ち行列のカラオケ楽曲演奏中における歌唱者の座席ＩＤの場合には当該音声信号を歌唱音声信号とし、当該歌唱者以外の座席ＩＤの場合には当該音声信号を選曲音声信号として出力先を切り替え、前記選曲処理手段は、前記選曲音声信号に基づいて音声認識したデータにより選曲して前記予約待ち行列に前記座席ＩＤを関連付けて登録させる、構成とする。
【０００９】
請求項２、３の発明では、「前記座席判別音声切替手段は、マイクが車内に配置されたマイク入力端子の何れかに接続されることによる前記マイク特定情報により前記座席ＩＤを判別する」構成であり、
「前記座席判別音声切替手段は、車内にマイクＩＤを送信するマイクがそれぞれ配置され、送信されるマイクＩＤを受信することによる前記マイク特定情報により前記座席ＩＤを判別する」構成である。
【発明の効果】
【００１０】
本発明によれば、車内で使用されているマイクのマイク特定情報から座席ＩＤを判別し、入力される音声信号の当該マイク特定情報に対応する座席ＩＤが、予約待ち行列のカラオケ楽曲演奏中における歌唱者の座席ＩＤの場合には当該音声信号を歌唱音声信号とし、当該歌唱者以外の座席ＩＤの場合には当該音声信号を選曲音声信号として出力を切り替え、選曲音声信号のときに音声認識したデータにより選曲して予約待ち行列に座席ＩＤを関連付けて登録させる構成とすることにより、マイクからの選曲に際して選曲者を特定することを可能とし、カラオケ楽曲演奏中であっても選曲のための音声信号を音響出力させずに選曲可能として利便性の向上を図ることができるものである。
【発明を実施するための最良の形態】
【００１１】
以下、本発明の最良の実施形態を図により説明する。
図１に、本発明に係る音声選曲機能を備える車載用カラオケシステムの第１実施形態のブロック構成図を示す。図１において、車載用カラオケシステム１１は、利用者が選曲したカラオケ楽曲の演奏データに基づきカラオケ演奏を行うものとして、カラオケ本体１２と、当該カラオケ本体１２に接続される表示部１３、マイク入力端子１４、スピーカ１６及びリモコン装置１７が接続される。
【００１２】
ここで、上記表示部１３は、楽曲選曲表示やカラオケ演奏時の映像、歌詞テロップを表示するもので、後述の操作パネル３４と連動するユーザインタフェース機能を備える。このユーザインタフェース機能としては、例えば液晶ディスプレイ（ＬＣＤ）とタッチセンサとを積層して入出力用とし、表示されるアイコン等に対応して当該タッチセンサにより楽曲の選択などのデータを入力することができるＧＵＩである。
【００１３】
上記マイク入力端子１４は、使用マイク特定手段としての役割をなし、車内の座席に対応した位置にそれぞれ配置した入力端子Ｍ１〜Ｍ４で構成される（図２で説明する）。当該マイク入力端子１４の入力端子Ｍ１〜Ｍ４の何れかにマイク１５（１５Ａ，１５Ｂ）が接続されるもので、音声信号と共に、当該マイク１５（１５Ａ，１５Ｂ）の接続された所定の入力端子Ｍ１〜Ｍ４の情報をマイク特定情報として座席判別音声切替手段３２に出力する。図では、マイクＡ（１５Ａ）がマイク入力端子１４の入力端子Ｍ３に接続され、マイクＢ（１５Ｂ）が入力端子Ｍ４に接続されたものとして示している。なお、マイク１５が接続されたマイク入力端子１４の所定の入力端子Ｍ１〜Ｍ４は、座席判別音声切替手段３２において例えば通電状態か否かで検出される。
【００１４】
上記スピーカ１６は、カラオケ楽曲演奏に際して後述のミキシングアンプ３０でミキシングされた演奏信号及びマイク１５（１５Ａ，１５Ｂ）から入力される歌唱音声信号を出力する。上記リモコン装置１７は、その構成は公知のもので十分であり、専ら歌唱楽曲の選曲や、歌唱中のキー設定、エコー設定等を行うためのものである。
【００１５】
上記カラオケ本体１２は、バス２１、中央制御部２２、ＲＯＭ２３、ＲＡＭ２４、楽曲ＤＢ（楽曲データベース）２５、楽曲検索手段２６、予約管理手段２７、音楽曲出力部２８、再生制御部２９、ミキシングアンプ３０、Ａ／Ｄ変換部３１、座席判別音声切替手段３２、操作入力ＩＦ（インタフェース）３３、操作パネル３４、受信部３５及び選曲処理手段３６を適宜備え、当該選曲処理手段３６には音声認識手段３７を備える。
【００１６】
上記中央制御部２２は、このシステムを統括的に処理制御する物理的なＣＰＵであり、ＲＯＭ２３に記憶されているプログラムに基づくアルゴリズム処理を行う。上記ＲＡＭ２４は、種々のプログラムを展開、実行させるための作業領域としての役割をなすもので、例えば半導体メモリで構成され、仮想的にハードディスク上に構築される場合をも含む概念である。
【００１７】
上記楽曲ＤＢ２５は、楽曲毎に楽曲コードで管理される演奏データ、当該演奏データに同期した背景映像データ及び歌詞テロップデータで構成された歌唱データファイルを所定数記憶しておくデータベースである。
【００１８】
上記楽曲検索手段２６は、上記表示部１３（操作パネル３４）からの入力やリモコン装置１７からの入力によって利用者に楽曲を検索させると共に、マイク１５（１５Ａ，１５Ｂ）から入力される音声信号に基づいて選曲処理手段３６によっても選曲させるためのプログラムであり、ＲＡＭ２４に展開されて実行される。上記予約管理手段２７は、利用者によるリモコン装置１７（又は操作パネル３４（表示部１３））を用いて選曲された楽曲、及び選曲処理手段３６で選曲された楽曲が座席ＩＤを関連付けて、ＲＡＭ２４のメモリ領域に形成した予約待ち行列に記憶して予約管理するプログラムであり、ＲＡＭ２４に展開されて実行される。上記関連付けられる座席ＩＤは、選曲処理手段３６で選曲された場合には座席判別音声切替手段３２によりマイク特定情報（マイク入力端子１４の入力端子Ｍ１〜Ｍ４の情報）から特定される。
【００１９】
上記音楽曲出力部２８は、楽曲コードで楽曲ＤＢ２５より抽出された演奏データをデジタル再生し、アナログ変換してミキシングアンプ３０に出力する電子回路である。当該ミキシングアンプ３０は、カラオケ楽曲が演奏中では歌唱者の座席ＩＤを特定した入力端子のマイク１５（１５Ａ，１５Ｂ）からの歌唱音声信号と、当該音楽曲出力部２８より送られてくる演奏信号とをミキシングし、増幅してスピーカ１６より出力させるものである。
【００２０】
上記再生制御部２９は、演奏時に、楽曲ＤＢ２５より抽出された楽曲データのうちの背景映像データ及び歌詞テロップデータ（歌詞文字データ）を当該楽曲の演奏データに同期させて表示部１３に出力する電子回路である。上記Ａ／Ｄ変換部３１は、マイク入力端子１４及び座席判別音声切替手段３２を介して送られてくるマイク１５（１５Ａ，１５Ｂ）からの音声信号をデジタル変換して音声データとして選曲処理手段３６に送出する電子回路である。
【００２１】
上記座席判別音声切替手段３２は、使用されているマイク１５（１５Ａ，１５Ｂ）のマイク特定情報（入力端子Ｍ１〜Ｍ４）により座席ＩＤを図示しないテーブルで判別し、入力される音声信号の当該マイクの入力端子Ｍ１〜Ｍ４に対応する座席ＩＤが、予約待ち行列のカラオケ楽曲演奏中における歌唱者の座席ＩＤの場合には当該音声信号を歌唱音声信号とし、当該歌唱者以外の座席ＩＤの場合には当該音声信号を選曲音声信号として出力先を切り替え、また、歌唱者以外の座席ＩＤを選曲処理手段３６に送出するプログラムであり、ＲＡＭ２４に展開されて実行される。
【００２２】
例えば、カラオケ楽曲の演奏中であって、予約待ち行列の歌唱者の座席ＩＤが、マイクＡ（１５Ａ）が接続された入力端子Ｍ３に対応したものであれば、当該マイクＡ（１５Ａ）からの音声信号を歌唱音声信号としてミキシングアンプ３０に出力し、マイクＢ（１５Ｂ）からの音声信号が入力されれば、歌唱者の座席ＩＤ（２Ａ）以外の座席ＩＤ（２Ｂ）からの音声信号であり、当該音声信号を選曲音声信号としてＡ／Ｄ変換部３１に出力すべく切り替えるものである。
【００２３】
上記操作入力ＩＦ３３は、利用者がマニュアルで選曲を行う場合に、操作パネル３４とリモコン装置１７からの送信信号を受信する受信部３５とからの入力信号に対して整合性をとるためのプログラムないし電子回路である。当該操作パネル３４は、上記表示部１３のユーザインタフェース機能と連動して、エコーや左右バランス、スピーカ１６からの出力音量のボリウムの他、歌唱楽曲を選曲する操作ボタン等を含んだものである。
【００２４】
そして、上記選曲処理手段３６は、Ａ／Ｄ変換部３１より選曲音声信号（例えばアーチスト名、曲名）に基づく音声データを音声認識手段３７で音声認識し、テキストデータとして楽曲検索手段２６により選曲を行わせ、座席判別音声切替手段３２より取得した座席ＩＤを関連付けて予約管理手段２７に送出することで、予約待ち行列に登録させるプログラムであり、ＲＡＭ２４に展開されて実行される。
【００２５】
ここで、図２に、図１における車載用カラオケシステムの車内配置の説明図を示す。図２において、例えば乗用車４１には４つの座席があるものとして、ハンドル４２のある位置が運転者の座席となる。この乗用車４１の前方に、例えばカラオケ演奏装置１２が設けられ、その近傍に表示部１３が配置される。また、前方（後方又は前方と後方）にスピーカ１６が配置される。さらに、車内には、マイク入力端子１４を構成する各入力端子Ｍ１〜Ｍ４の何れかに接続される有線式のマイク１５（１５Ａ，１５Ｂ）とリモコン装置１７とが持ち運び自在に置かれる。
【００２６】
そして、各座席に対応したものであって、側面側にマイク入力端子１４を構成する各入力端子Ｍ１〜Ｍ４の入力端子が配置される。なお、各入力端子Ｍ１〜Ｍ４の入力端子の配置を、例えば天井や座席シート部分（背もたれ、ヘッドレスト、アームレスト、前席にあってはダッシュボード、後席にあっては前席の背もたれやヘッドレスト）としてもよい。例えば、前部右座席（運転席）に対して入力端子Ｍ１の入力端子、前部左座席（助手席）に対して入力端子Ｍ２の入力端子、後部右座席に対して入力端子Ｍ３の入力端子、後部左座席に対して入力端子Ｍ４の入力端子が配置される。図では、後部右座席に対応する入力端子Ｍ３の入力端子にマイク１５Ａが接続され、入力端子Ｍ４の入力端子にマイク１５Ｂが接続された場合を示している。
【００２７】
また、図３に、図１の予約管理手段における予約待ち行列表示画面の説明図を示す。図３（Ａ）は、予約管理手段２７がＲＡＭ２４のメモリ領域に形成した予約待ち行列を示したもので、例えば、順に、曲名、楽曲コードに、歌唱者の座席ＩＤが関連付けられて記憶される。そして、図３（Ｂ）に示すように、予約状況の表示要求があった場合には、上記予約待ち行列に基づいて、表示部１３に例えば曲名、楽曲コード、座席ＩＤに対応する歌唱者の座席が表示されるものである。
【００２８】
そこで、図４に図１のマイク音声信号の出力処理のフローチャートを示す。図４（Ａ）において、座席判別音声切替手段３２では、マイク入力端子１４より接続された総てのマイクマイク１５（１５Ａ，１５Ｂ）の入力端子（ここでは、図１のＭ３，Ｍ４）を検出して、対応する座席ＩＤ（２Ａ，２Ｂ）を判別する（ステップ（Ｓ１））。そこで、カラオケ楽曲が演奏中であることを、例えば音楽曲出力部２８よりミキシングアンプ３０に演奏信号が出力されているかを監視することで判別し（Ｓ２）、演奏中であれば予約待ち行列（図３（Ａ））を参照して歌唱者の座席ＩＤ（２Ａ）を特定する。
【００２９】
続いて、入力される音声信号の当該マイク１５（１５Ａ，１５Ｂ）のマイク特定情報（入力端子の情報）に対応する座席ＩＤが、予約待ち行列のカラオケ楽曲演奏中における歌唱者の座席ＩＤ（図３（Ａ）における歌唱者の座席ＩＤ２Ａ）の場合には（Ｓ３）、当該音声信号を歌唱音声信号として出力先をミキシングアンプ３０に切り替えて出力する（Ｓ４）。
【００３０】
一方、入力される音声信号の当該マイク１５（１５Ａ，１５Ｂ）のマイク特定情報（入力端子の情報）に対応する座席ＩＤが、歌唱者以外の座席ＩＤ（２Ｂ）の場合には（Ｓ３）、当該音声信号を選曲音声信号として出力先をＡ／Ｄ変換部３１に切り替えて出力すると共に、当該座席ＩＤ（２Ｂ）を選曲処理手段３６に送出する（Ｓ５）。そして、Ａ／Ｄ変換部３１では、選曲処理手段３６に、マイク音声信号をデジタル変換したマイク音声データを送出する（Ｓ６）。
【００３１】
そこで、図４（Ｂ）において、選曲処理手段３６が、座席判別音声切替手段３２より座席ＩＤを取得すると共に、Ａ／Ｄ変換部３１より音声データを取得すると、音声認識手段３７が音声データを解析してテキストデータとし、当該テキストデータに基づいて楽曲検索手段２７に対して楽曲ＤＢ２５より検索させ、検索された楽曲名（楽曲コード）に座席判別音声切替手段３２より取得した座席ＩＤ（２Ｂ）を関連付けて予約管理手段２７に送出する（Ｓ１１）。そして、予約管理手段２７では、図３（Ａ）に示すように、楽曲名、楽曲コードに座席ＩＤ（２Ｂ）を関連付けて予約待ち行列に登録して管理するものである（Ｓ１２）。
【００３２】
このように、マイク１５（１５Ａ，１５Ｂ）からの選曲に際してマイク入力端子１４に接続された入力端子のマイク特定情報より選曲者（歌唱者）を座席ＩＤで判別することができると共に、カラオケ楽曲演奏中であっても選曲のための音声信号をスピーカ１６より音響出力させずに選曲可能として利便性の向上を図ることができるものである。
【００３３】
次に、図５に本発明に係る音声選曲機能を備える車載用カラオケシステムの第２実施形態のブロック構成図を示すと共に、図６に図５における車載用カラオケシステムの車内配置の説明図を示す。図５に示す音声選曲機能を備える車載用カラオケシステム１１は、上述のマイク入力端子１４に代えて使用マイク特定手段としてマイク受信部３８を備えたもので、使用されるマイクはマイク特定情報としてのマイクＩＤ（Ａ〜Ｄ）を送信する無線式のマイク１５Ａ〜１５Ｄがそれぞれ当該座席に対応して配置されたものである。他の構成は図１と同様であり、説明を省略する。
【００３４】
すなわち上記マイク１５Ａ〜１５Ｂは、図６に示すように、座席ＩＤに対応して４本用意され、利用者の着座した座席において専用となり、それぞれは座席に応じたマイクＩＤ（Ａ〜Ｄ）が使用時（例えば、マイクスイッチのオン、オフ）に発信される。例えば、マイク１５Ａ〜１５Ｄから送信される搬送波の周波数に対応した所定の識別信号をマイクＩＤとして認識することができる。上記マイク受信部３８は、所定のマイク１５Ａ〜１５ＤよりマイクＩＤを受信すると共に、音声信号を受信して座席判別音声切替部３２に送出する電子回路である。なお、マイク受信部３８がマイクＩＤを選曲処理手段３６に対して直接に送出させることとしてもよい。
【００３５】
そこで、図７に、図５のマイク音声信号の出力処理のフローチャートを示す。ここでは、マイク１５Ｃ、１５Ｄが使用された場合として、座席判別音声切替手段３２及びＡ／Ｄ変換部３１の処理について説明する。図７において、マイク１５Ｃ，１５Ｄがスイッチオン状態として搬送波に重畳された音声信号が入力された場合に、座席判別音声切替手段３２では、マイク受信部３８よりマイク音声信号及びマイク特定情報としてのマイクＩＤ（Ｃ、Ｄ）を入力し、当該マイクＩＤより対応する座席ＩＤ（２Ａ，２Ｂ）を判別する（Ｓ２１）。
【００３６】
そこで、所定のマイク１５（１５Ｃ，１５Ｄ）からの音声入力に対して、カラオケ楽曲が演奏中であることを判別し（Ｓ２２）、演奏中であれば予約待ち行列（図３（Ａ））を参照して歌唱者の座席ＩＤ（２Ａ）を特定する。入力される音声信号の当該マイク１５（１５Ｃ，１５Ｄ）に対応する座席ＩＤが、予約待ち行列のカラオケ楽曲演奏中における歌唱者の座席ＩＤ（図３（Ａ）における歌唱者の座席ＩＤ２Ａ）の場合には（Ｓ２３）、当該音声信号を歌唱音声信号として出力先をミキシングアンプ３０に切り替えて出力する（Ｓ２４）。
【００３７】
一方、入力される音声信号の当該マイク１５（１５Ｃ，１５Ｄ）の特定情報（入力端子）に対応する座席ＩＤが、歌唱者以外の座席ＩＤ（２Ｂ）の場合には（Ｓ２３）、当該音声信号を選曲音声信号として出力先をＡ／Ｄ変換部３１に切り替えて出力すると共に、当該座席ＩＤ（２Ｂ）を選曲処理手段３６に送出する（Ｓ２５）。そして、Ａ／Ｄ変換部３１では、選曲処理手段３６に、マイク音声信号をデジタル変換したマイク音声データを送出するものである（Ｓ２６）。
【００３８】
このように、使用されるマイクが無線式であっても、上記同様に、マイク１５（１５Ｃ，１５Ｄ）からの選曲に際してマイクＩＤ（Ｃ、Ｄ）より選曲者（座席ＩＤ）を特定することができると共に、カラオケ楽曲演奏中であっても選曲のための音声信号をスピーカ１６より音響出力させずに選曲可能として利便性の向上を図ることができるものである。
【産業上の利用可能性】
【００３９】
本発明の音声選曲機能を備える車載用カラオケシステムは、自家用車や商用車（トラック、バスなど）の自動車、列車、飛行機、船舶内で設置されるカラオケシステムに利用可能である。
【図面の簡単な説明】
【００４０】
【図１】本発明に係る音声選曲機能を備える車載用カラオケシステムの第１実施形態のブロック構成図である。
【図２】図１における車載用カラオケシステムの車内配置の説明図である。
【図３】図１の予約管理手段における予約待ち行列表示画面の説明図である。
【図４】図１のマイク音声信号の出力処理のフローチャートである。
【図５】本発明に係る音声選曲機能を備える車載用カラオケシステムの第２実施形態のブロック構成図である。
【図６】図５における車載用カラオケシステムの車内配置の説明図である。
【図７】図５のマイク音声信号の出力処理のフローチャートである。
【００４１】
１１            車載用カラオケシステム
１２            カラオケ演奏装置
１３            表示部
１４            マイク入力端子
１５，１５Ｎ    マイク
２７            予約管理手段
３２            座席判別音声切替手段
３６            選曲処理手段
３７            音声認識手段
３８            マイク受信部
４１            乗用車
【図１】
2008233320.tif 000003
【図２】
2008233320.tif 000004
【図３】
2008233320.tif 000005
【図４】
2008233320.tif 000006
【図５】
2008233320.tif 000007
【図６】
2008233320.tif 000008
【図７】
2008233320.tif 000009